(57)【要約】【課題】ファイルシステムとしてUDF2.6に準拠した記録装置において、管理情報であるMetaDataファイル（MD）と、そのMetaDataMirrorファイル（MDM）を記録する場合におけるパフォーマンスを向上させること。【解決手段】  ファイナライズするまでMDMファイルを記録せず、ファイナライズの際に最新のMDファイルのコピーをMDMファイルとして記録する。【選択図】  図１
2009009642.tif 000002
【特許請求の範囲】
【請求項１】
第一の管理情報領域と第二の管理情報領域とユーザデータ領域を有する記録媒体にユーザデータを記録、または前記記録媒体から前記ユーザデータを再生する情報記録再生装置であって、
前記ユーザデータを管理する管理情報を生成する管理情報生成部と、
前記ユーザデータ及び前記管理情報を前記記録媒体に記録する記録部と、
前記管理情報生成部と前記記録部を制御する制御部を有し、
前記記録媒体がファイナライズされるまでは前記管理情報が前記第一の管理情報領域に記録され、
前記記録媒体がファイナライズされる場合に、前記管理情報のコピーが前記第二の管理情報領域に記録されることを特徴とする情報記録再生装置。
【請求項２】
第一の管理情報領域と第二の管理情報領域とユーザデータ領域を有する記録媒体にユーザデータを記録、または前記記録媒体から前記ユーザデータを再生する情報記録再生装置であって、
前記ユーザデータを管理する管理情報を生成する管理情報生成部と、
前記ユーザデータ及び前記管理情報を前記記録媒体に記録する記録部と、
前記管理情報生成部と前記記録部を制御する制御部を有し、
前記記録媒体がファイナライズされるまでは前記管理情報の記録先が所定のタイミングで前記第一または第二の管理情報領域で切替えられて前記管理情報が記録され、
前記記録媒体がファイナライズされる場合に、前記管理情報のコピーが、前記管理情報が記録された管理情報領域とは他方の管理情報領域に記録されることを特徴とする情報記録再生装置。
【請求項３】
請求項２記載の情報記録再生装置であって、
前記所定のタイミングとは、１回の記録毎、複数回の記録毎、記録媒体を挿入する毎、一定時間毎、のいずれかであることを特徴とする情報記録再生装置。
【請求項４】
第一の管理情報領域と第二の管理情報領域とユーザデータ領域を有する記録媒体にユーザデータを記録、または前記記録媒体から前記ユーザデータを再生する情報記録再生装置であって、
前記ユーザデータを管理する管理情報を生成する管理情報生成部と、
前記ユーザデータ及び前記管理情報を前記記録媒体に記録する記録部と、
前記管理情報生成部と前記記録部を制御する制御部を有し、
前記記録媒体がファイナライズされるまでは前記管理情報の記録先が前記ユーザデータの記録位置に応じて前記第一または第二の管理情報領域で切替えられて前記管理情報が記録され、
前記記録媒体がファイナライズされる場合に、前記管理情報のコピーが、前記管理情報が記録された管理情報領域とは他方の管理情報領域に記録されることを特徴とする情報記録再生装置。
【請求項５】
請求項４記載の情報記録再生装置であって、
前記ユーザデータの記録位置に応じて前記管理情報の記録先を切替える際、
前記ユーザデータの記録位置から前記第一または第二の管理情報領域へのピックアップのシーク距離またはシーク時間が等しくなる点を中間点とし、
前記ユーザデータの記録位置が前記中間点より前記第一の管理情報領域に近い場合は前記管理情報を前記第一の管理情報領域に記録し、
前記ユーザデータの記録位置が前記中間点より前記第二の管理情報領域に近い場合は前記管理情報を前記第二の管理情報領域に記録することを特徴とする情報記録再生装置。
【請求項６】
請求項３または５いずれか一項記載の情報記録再生装置であって、
前記記録媒体はBlu-rayディスクであり、
前記記録媒体にはUDF（Universal  Disk  Format）２．６に準拠したファイルフォーマットで情報が記録されることを特徴とする情報記録再生装置。
【請求項７】
請求項３または５いずれか一項記載の情報記録再生装置であって、
前記第一の管理情報領域は前記記録媒体の内周側に配置され、
前記第二の管理情報領域は前記記録媒体の外周側に配置されることを特徴とする情報記録再生装置。
【請求項８】
第一の管理情報領域と第二の管理情報領域を有する記録媒体に情報を記録する情報記録方法であって、
前記記録媒体がファイナライズされるまでは前記管理情報が前記第一の管理情報領域に記録され、
前記記録媒体がファイナライズされる場合に、前記管理情報のコピーが前記第二の管理情報領域に記録されることを特徴とする情報記録方法。
【請求項９】
第一の管理情報領域と第二の管理情報領域を有する記録媒体に情報を記録する情報記録方法であって、
前記記録媒体がファイナライズされるまでは前記管理情報の記録先が所定のタイミングで前記第一または第二の管理情報領域で切替えられて前記管理情報が記録され、
前記記録媒体がファイナライズされる場合に、前記管理情報のコピーが、前記管理情報が記録された管理情報領域とは他方の管理情報領域に記録されることを特徴とする情報記録方法。
【請求項１０】
第一の管理情報領域と第二の管理情報領域を有する記録媒体に情報を記録する情報記録方法であって、
前記記録媒体がファイナライズされるまでは前記管理情報の記録先が前記ユーザデータの記録位置に応じて前記第一または第二の管理情報領域で切替えられて前記管理情報が記録され、
前記記録媒体がファイナライズされる場合に、前記管理情報のコピーが、前記管理情報が記録された管理情報領域とは他方の管理情報領域に記録されることを特徴とする情報記録方法。
【発明の詳細な説明】
【技術分野】
【０００１】
本発明は、情報記録再生装置及び情報記録方法に関する。
【背景技術】
【０００２】
UDFとUDF２．５を簡単に説明すると、特許文献１に記載の通り、
「UDFは、もともとDVD（Digital Versatile Disc）に代表される光ディスク等の記録媒体にファイルを記録して管理するためのファイルフォーマットとして知られており、その規格が徐々にバージョンアップされて、現在では、UDF２．５が提案されている。
UDF２．５に準拠したファイルシステムでは、管理情報の２重化と、管理情報の集中配置とが特徴とされている。ここで、管理情報とは、記録媒体のどの位置にどのようなファイルが存在するかを示す情報であって、記録媒体にファイルが書き込まれたり、逆に記録媒体からファイルが消去されたりしたときに更新される。
管理情報の２重化とは、記録媒体上の離れた２カ所（例えば、ディスクの内周側と外周側）に、同一の管理情報をそれぞれ記録することを指す。これにより、２カ所の記録されている同一の管理情報のうち、仮に一方が記録媒体の傷や劣化に起因して読み出せなくなったとしても、他方を読み出せばよいので、管理情報が読めないことによって、記録されているファイルも読み出せなくなってしまうという事態の発生を抑止することができる。
管理情報の集中配置とは、１つの管理情報を分割することなく、記録媒体に連続して記録することを指す。これにより、管理情報を速やかに読み出すことができるので、記録されているファイルを読み出すまでに要する時間を短縮することができる。」ものである。
【０００３】
特許文献１では、このようなUDF２．５準拠の記録媒体を対象としており、
「上述したようにUDF２．５では、管理情報が２重化され、それらが記録媒体上の離れた位置に記録されているので、それらを頻繁に更新するには、記録媒体に対してデータを書き込むピックアップを、記録媒体上の離れた位置の間で頻繁に移動させなければならない。このようにすると、ピックアップのシーク時間が長くなってしまうので、肝心のビデオデータを記録するための位置にピックアップが速やかに戻れない」という課題に対して、
「入力されたデータを１つのファイルとして記録媒体に書き込む書き込み手段と、書き込み手段によって入力されたデータが１つのファイルとして記録媒体に書き込まれるとき、記録媒体に書き込まれたファイルを読み出すための管理情報を生成する生成手段と、生成手段によって生成された管理情報を、管理情報が生成されるとき、記録媒体に設けられた第１の領域に記録し、記録媒体がイジェクトされるとき、記録媒体に設けられた第１の領域とは異なる第２の領域に記録する」という手段を用いることが記載されている。
【０００４】
上記UDF２．５のファイルフォーマットは例えばBD-RE(Blu-ray  Disc  Rewritable)等の書換型の記録媒体を対象としたものであり、最近では、例えばBD-R(Blu-ray  Disc  Recordable)等のライトワンス型の記録媒体を対象としたUDF2.6のファイルフォーマットが提案されている。
【０００５】
UDF2.6に準拠したライトワンス型記録媒体においても、UDF2.5に準拠した書換型記録媒体と同様に、ユーザデータを追記した場合等、管理情報（Meta  Data、以下MDファイルとする）の更新がある場合にはMDファイルを管理情報領域（以下、MD領域とする）に記録する。さらに、前記管理情報の２重化のために、このMDファイルのバックアップであるMeta  Data  Mirror情報（以下MDMファイルとする）をMDM領域にも記録する。
【０００６】
ここで、ライトワンス型の記録媒体は情報の書換ができないため、擬似書換方式（Pseudo Over  Write、以下POWとする）を採用している。POWとは、ライトワンス型の記録媒体において、既に情報が記録された記録済領域に再度記録するようホストから記録指令が合った場合、ドライブ装置が自動的に書換え用の領域に書き込みを行い、あたかも記録済領域に情報を上書きしたかのように見せかける方式である。
【０００７】
例えばMD領域に一度MDファイルが記録された後に、新たにMDファイルをMD領域に記録する際には擬似書換が行なわれる。ここで、例えば一度MDファイルが記録された領域がMD領域のうち先頭に位置する先頭領域である場合、その先頭領域に続く領域に新たなMDファイルが記録される。このように記録済みの領域の代わりに未記録領域に記録することを交替記録という。そして、先頭領域から、先頭領域に続く領域へ交替記録したというリンク情報が、Defect  List管理領域というMD領域とは別の領域に記録される。このようにすれば、ライトワンス型の記録媒体であっても、あたかもMD領域の先頭領域にMDファイルを上書きしたかのように扱うことができる。
【０００８】
MDファイルのバックアップであるMDMファイルについても同様であり、MDM領域で擬似書換してリンク情報をDefect  List管理領域に記録しておくことにより、ライトワンス型記録媒体であっても、あたかもMDM領域に上書き記録したかのように扱うことができる。
【０００９】
【特許文献１】特開２００５−２４３０７９  （段落番号０００２〜０００５、００１１、００１３等）
【発明の開示】
【発明が解決しようとする課題】
【００１０】
上記の特許文献１記載の技術は、UDF2.5に準拠した書換型の記録媒体におけるMDファイルの更新について考慮しているが、UDF2.6に準拠したライトワンス型記録媒体におけるMDファイルの更新については考慮していない。
【００１１】
そのため上記従来技術を用いてUDF2.6準拠の記録媒体への記録を行った場合、例えばイジェクト時に上書きしようとしているMDMファイルは、ディスクに記録済みのMDM領域には上書き記録されずに、POW、すなわち擬似的な上書き処理によって他の空き領域（交替領域）に記録される。そのためイジェクト毎にMDM領域でのPOW（擬似書換）が発生することになり、MDMファイルについて交替領域へのリンクが多数発生することとなる。このようにリンクが多数発生した場合、記録時にも再生時にも処理が煩雑になり、パフォーマンスが低下する。記録時についてはMDMファイルを記録する度に処理時間が増大するからであり、再生時については多数のリンク情報をたどるのにピックアップのシーク時間等の処理時間が増大するからである。
【００１２】
また、MD領域やMDM領域はユーザ領域の一部を使用しているため、MDファイルやMDMファイルを記録するほどユーザデータを記録できる領域は減少する。そのため、これらのMDファイルやMDMファイルの記録は必要最低限であることが好ましいが、特許文献１ではこの点について考慮されていない。
【００１３】
さらに、MD領域やMDM領域の容量は有限であるため、何度も擬似書換を繰り返すことによりこれらのMD領域やMDM領域が一杯になった場合には、例えユーザデータ領域に空き容量が残っていた場合であっても記録媒体が使えなくなることがある。特にビデオカメラにように短時間のシーンについて記録開始から記録停止を頻繁に繰り返すような場合、この現象は顕著に現れることになる。この点についても特許文献１記載の技術では考慮されていない。
【００１４】
そこで上記問題を解決し、適切な記録または再生動作を実現可能な情報記録再生装置を提供することを本発明の目的とする。
【課題を解決するための手段】
【００１５】
本発明では例えば以下の実施態様により前記課題を解決できるが、この実施態様に限られることはない。
【００１６】
例えば本発明の情報記録再生装置は、第一の管理情報領域と第二の管理情報領域を有する記録媒体にユーザデータを記録、または前記記録媒体からユーザデータを再生するものである。
【００１７】
本発明の一実施態様によれば、前記情報記録再生装置では、前記記録媒体がファイナライズされるまでは前記管理情報が前記第一の管理情報領域に記録され、前記記録媒体がファイナライズされる場合に、前記管理情報のコピーが前記第二の管理情報領域に記録される。
【発明の効果】
【００１８】
本発明によれば、適切な記録または再生動作を実現可能な情報記録再生装置を提供できる。
【発明を実施するための最良の形態】
【００１９】
以下本発明の実施例を、図面を用いて説明する。
【実施例１】
【００２０】
本実施例では、ファイナライズをする際にMDMファイルをMDM領域に記録する例ついて述べる。CD-RやDVD-Rにおいて、ファイナライズとは追記型光ディスクに記録したデータを、他のプレーヤでも再生できるように再生互換をとるための最終処理のことであるが、BD-Rではファイナライズを行わなくとも再生互換は保たれる規格である.
その為BD-Rにおいてはファイナライズという処理は不要である。しかし本実施例おいてはMDMファイルをMDM領域に記録する処理をBD-Rのファイナライズと定義して用いる。
またこのファイナライズによってMDMファイルをMDM領域に記録すると同時にDISKへの追記不可状態にすることも可能である。
また追記不可とする処理は、DISKクローズ処理によって実現してもよい。
またファイナライズを行うタイミングはDISKの空き容量がある一定に達した場合や、あるいはユーザによるファイナライズの指示があった場合などに実行される。
【００２１】
まず図１を用いて情報記録再生装置１００の一例であるカメラの構成例を説明する。
【００２２】
１０１はレンズ、１０２は撮像センサ（ＣＣＤ）、１０３はカメラ信号処理部、１０４は圧縮伸張部、１０５は制御マイコン部、１０６は信号処理部、１０７はハードディスクドライブ（ＨＤＤ）、１０８はディスクメディア（例えばBDやＤＶＤ）部、１０９は操作スイッチ、１１０は充電部、１１１はバッテリ、１１２は外部電源入力部、１１３は液晶ディスプレイ（ＬＣＤ）、１１４は外部出力インターフェース（Ｉ/Ｆ）、１１５は管理情報生成部である。図１では各構成を説明の都合上分けて記載したが、回路設計等に応じて適宜1チップにまとめてもよいものとする。制御の容易性や回路設計のスペース上有利になることもあるからである。
【００２３】
まず、はじめに図１で示す情報記録再生装置の動作を説明する。レンズ１０１を介して被写体の画像をＣＣＤ１０２で捕らえ、ＣＣＤで捕らえた画像は電気信号に変換され、カメラ信号処理部１０３で映像信号に変換される。
【００２４】
続いて上記映像信号は、制御マイコン１０５によって制御された信号圧縮伸張部１０４にて、デジタル映像信号に変換される。また外部入出力端子１１４に入力を切り換えることで、外部入力映像信号をデジタル映像信号に変換する事も可能である。
【００２５】
デジタル映像信号に変換された信号は信号処理部１０６によって上記BDやＤＶＤ、あるいは上記ＨＤＤといった外部ストレージに対して記録される。このようにして、例えばUDF2.6でフォーマットされたBD-R（Blu-ray Disc Recordable）ディスク等の記録媒体にデータが記録される。また、ユーザデータの追記等に応じてMD情報、MDM情報等の管理情報を更新する必要がある場合には、管理情報生成部１１５で管理情報が生成され、同様に記録媒体に記録される。
【００２６】
さらに操作スイッチ１０９を操作することで上記制御マイコンを制御し、上記信号処理部によってBDやＤＶＤに記録された映像信号の読出しを行い、ＨＤＤに対して記録を行う事でメディア間のダビング処理を行うことが可能である。また同様にＨＤＤに記録された映像信号に対して読出しを行い、BDやＤＶＤに対して記録を行う事も可能である。
【００２７】
またストレージに記録された信号は、上記映像圧縮伸張部で映像信号に伸張し、上記入出力端子に出力するとともに、液晶ディスプレイ（Liquid Crystal Display , LCD）１１３に対して表示することが可能である。ただし液晶ディスプレイには限られず例えば有機ＥＬディスプレイであってもよい。
【００２８】
さらに電源部として外部電源入力部１１２を有し、ＡＣ電源等の外部からの電源供給を可能としている。またこの外部電源入力部から電源が供給されることで充電部１１０によりバッテリ１１１を充電することが可能である。これにより外部電源入力部より電源が供給されているときは、外部電源によって機器を動作させ、外部電源が供給されていないときは、バッテリからの電源供給によって機器を動作させる事が可能である。ただし充電に必要な機能の全てが装置に内蔵されている必要は無く、外部電源入力部の外に充電に必要な機能の一部又は全てがあるものであってもよい。
【００２９】
次に、図２、図３を用いてBD等の光ディスクにおける記録データの配置について説明する。
【００３０】
図２は本発明による映像記録再生装置により記録された光ディスクであって、ファイナライズ（追記付加）前の光ディスクの内部状態を示している。また、図２では光ディスクの左側からアドレス順に記載しており、左側が内周でアドレス０、右側が外周となっている。２０１はUDF領域、２０２はMD領域、２０３はユーザ領域、２０４はUDF領域を示している。
【００３１】
２０４もUDF領域であるが、この領域には２０１のUDF領域に記録されるUDFファイルのバックアップファイルがコピーされる。ここでUDFファイルとは、Volume Structure（ボリューム構造）と呼ばれるUDFによるディスクのボリューム構造（UDFフォーマットとしてどの情報がどの領域に記録されているかを示す構造）を管理するファイルである。MD領域２０２、には前述のようにMDファイルが記録される。MDファイルは、例えばユーザデータのディレクトリ構造のような、file Structure（ファイル構造）と呼ばれるユーザ領域のデータ構造を管理するファイルである。また、ユーザ領域２０３にはユーザデータが記録される。前述のDefect  List管理領域は例えばUDF領域より内周側に配置されるが、本実施例では説明簡単のために図示を省略する。
【００３２】
図３は、ファイナライズ後の光ディスクの内部状態を表しており、図２と同様の部分については同じ番号を付して説明を省略する。図２と異なるのは３０５のMDM領域がある点である。本実施例では、ファイナライズをする際にMDMファイルをMDM領域に記録する。この動作フローを、図４を用いて説明する。
【００３３】
図４は本実施例における情報記録再生装置の動作フローを示す図である。まずステップ４０１でユーザ領域にデータを記録し、ステップ４０２でMDファイルを生成する。ステップ４０３ではMDファイルを記録し、更にデータ記録を継続する場合は上記処理を繰り返す。ステップ４０４ではファイナライズ処理の指示の有無を判定し、ファイナライズ処理の指示がない場合（Noの場合）はMDMファイルを記録せず、ファイナライズ処理の指示があった場合（Yesの場合）は、ファイナライズ処理の際にステップ４０５でMDファイルのコピーであるMDMファイルを記録する。このようにして、ファイナライズする際に、最新のリンク情報のコピーをMDM領域に記録することとする。
【００３４】
以上が実施例１の動作説明であり、下記の効果を得ることができる。
【００３５】
（１）記録時のパフォーマンス低下を防止することができる。MDファイルの更新がある度に毎回MDMファイルを記録する方式や、背景技術記載の技術のようにイジェクトの度にMDMファイルを記録する方式と比較してMDMファイルの記録回数が少ないからである。
【００３６】
（２）再生時のパフォーマンス低下も防止することができる。MDMファイルの記録回数を少なくすることにより、擬似書換が発生する回数、すなわちリンクが発生する回数を減らすことができ、ピックアップのシーク時間を減らすことができる。これにより、例えばMDファイルの破壊等により、データアクセスの際にMDMファイルを読む必要が生じた場合、MDMファイルについてのリンク回数が少ないほどパフォーマンスを向上させることができるからである。
【００３７】
（３）ユーザがデータを記録できる領域を適切に確保することができる。MDMファイルの記録回数を減らすことにより、MDM領域の容量増大を防止できるからである。
【００３８】
（４）ユーザがデータを記録できる回数を適切に確保することができる。MD領域とMDM領域の容量は、両者の合計容量をユーザ領域に対してどの程度の割合にするかによって決められることが多い。そのため、MDMファイルの記録回数を減らして、MDM領域の容量増大が防止できれば、その分MD領域の容量を確保でき、擬似書換回数、すなわちユーザがデータを記録できる回数を確保できるからである。
【００３９】
実施例１の応用例として、前述のようにして記録された記録媒体を再生する際、MD領域ではなくMDM領域のMDMファイルにまずアクセスすることとしてもよい。MDMファイルを使用することで交替領域へのリンクを参照することなく、管理情報へのアクセスが円滑となり、データアクセス時のパフォーマンス低下が改善できるからである。
【実施例２】
【００４０】
次に、図５、図６を用いて実施例２について説明する。
【００４１】
図６において実施例１と同様の部分については同じ番号を付して説明を省略する。実施例１と異なるのは、６０２と６０５の領域であり、それぞれ、MD領域またはMDM領域として用いられる。MD領域、MDM領域の両者を管理情報領域と呼ぶこととする。
【００４２】
本実施例では、管理情報（MDファイル）の記録を内周にある管理情報領域６０２と外周にある管理情報領域６０５を交互に選択し管理情報を更新する事とする。
【００４３】
この場合、MDファイルを内周の管理情報領域６０２に記録しているときは内周側がMD領域となり、外周側の管理情報領域がMDM領域となる。また、逆にMDを外周の管理情報領域に６０５記録しているときは外周側がMD領域となり、内周側の管理情報領域６０２がMDM領域となる。この動作フローを、図５を用いて説明する。
【００４４】
図５は本実施例における情報記録再生装置の動作フローを示す図である。まずステップ５０１でユーザ領域にデータを記録し、ステップ５０２でMDファイルを生成する。ステップ５０３ではMDファイルを内周側の管理情報領域６０２に記録するか、外周側の管理情報領域６０５に記録するかを判定する。ステップ５０４ではＭＤの記録先が変更しているかを判定し、ステップ５０５ではMDファイルの記録先が変更されていた場合、次にMDファイルを記録する管理情報領域を最新状態に更新する。ステップ５０６ではＭＤファイルをステップ５０３で求めた内周あるいは外周の管理情報領域に記録し、その記録した領域をMD領域とする。更にデータ記録を継続する場合は上記処理を繰り返す。
【００４５】
ステップ５０７ではファイナライズ処理の指示の有無を判定し、ファイナライズ処理の指示がない場合（Noの場合）はMDMファイルを記録せず、ファイナライズ処理の指示があった場合（Yesの場合）は、ファイナライズ処理の際にステップ５０８でMDMファイルを記録する。ここでMDMファイルを記録する領域は、MDファイルを記録している管理情報領域とは逆側の管理情報領域とする。管理情報の２重化のためである。
【００４６】
このようにして、擬似書換による交替領域のリンク回数を内周の管理情報領域と外周の管理情報領域に分散する。
【００４７】
ここでステップ５０３における記録先管理情報領域の判定は、例えば１回の記録毎に切り換え、あるいは数回の記録毎、記録媒体をマウント（挿入）する毎、一定時間毎、によって内周と外周の切り替えを行う。記録するデータに応じて適切な記録方法を選択可能とするためである。
【００４８】
以上が実施例２の動作説明であり、実施例１と同様の効果（１）〜（４）に加え、下記の効果を得ることができる。
【００４９】
MDファイルを記録する管理情報領域を切り換える事で、擬似書換により発生する交替領域へのリンクの発生頻度を内周の管理情報領域と外周の管理情報領域とで分散することができる。これにより、再生時に内周と外周どちらの管理情報領域を使用してもデータアクセス時のパフォーマンスを平均化、改善することができる。
【実施例３】
【００５０】
次に、実施例３について説明する。
【００５１】
本実施例の説明には実施例２と同様の図５、図６を用いるため、説明を省略する。本実施例が実施例２と異なる点は、図５のステップ5０３において、ユーザ領域への記録位置によって、MDファイルを内周側の管理情報領域に記録するか、外周側の管理情報領域に記録するかを判定する点である。
【００５２】
ここで、ステップ５０３のユーザ領域への記録位置の判定は、例えば次のように行なう。管理情報領域６０２と管理情報領域６０５へのピックアップのシーク距離がちょうど中間（ユーザ領域の記録位置からのシーク距離が等しい）となるユーザ領域内のアドレスを中間点とし、中間点より内周側にユーザデータを記録する際には内周側の管理情報領域６０２にMDファイルを記録し、逆に中間点から外周側にユーザデータを記録する際には外周側の管理情報領域６０５にMDファイルを記録する。
【００５３】
これにより、実施例１の効果（１）〜（４）、実施例２の効果が得られることに加え、下記の効果を得ることができる。
【００５４】
ユーザ領域の内周側への記録時は管理情報の内周側を用いて、ユーザ領域の外周側への記録時は管理情報の外周側を用いることで、管理情報を記録する際、ドライブのピックアップのシーク量を削減することができる。例えばビデオカメラを使用する場合にはバッテリ駆動で用いられることが多い。このような場合には、ピックアップのシーク量削減によるバッテリの低減防止効果が特に有用である。
【００５５】
なお、上記説明ではシーク距離がちょうど中間となる位置を中間点として定義したが、シーク時間が半分となる位置や、シーク発生頻度を重み付けした位置を、中間点と定義することでも、同様の効果が得られる。
【００５６】
また、以上の実施例では、一例としてUDF領域２０１、管理情報領域２０２、６０２をディスク内周に記録し、UDF領域２０４、管理情報領域３０５、６０５をディスク外周に記録する例を示したが、これに限られることはなく、それぞれ必要に応じて内周、外周いずれに配置してもよい。前述の各実施例のようにMDMファイルの記録動作を行えば、管理情報領域等が内周、外周いずれであっても各実施例同様の効果が得られるからである。
【００５７】
また、上記実施例ではカメラを対象として説明したが、これに限られず、例えば据え置き型の装置の場合はレンズやCCD等は不要となる。
【図面の簡単な説明】
【００５８】
【図１】本発明の情報記録再生装置の一実施例を示すブロック構成図。
【図２】本発明の実施例１におけるファイナライズ前の光ディスクの内部状態を示す図。
【図３】本発明の実施例１におけるファイナライズ後の光ディスクの内部状態を示す図。
【図４】本発明の実施例１における情報記録再生装置の動作フローを示す図。
【図５】本発明の実施例２、３における情報記録再生装置の動作フローを示す図。
【図６】本発明の実施例２、３におけるファイナライズ前の光ディスクの内部状態を示す図。
【符号の説明】
【００５９】
１００…情報記録再生装置、１０１…レンズ、１０２…撮像センサ、１０３…カメラ信号処理部、１０４…圧縮伸張部、１０５…制御マイコン部、１０６…信号処理部、１０７…ハードディスクドライブ、１０８…ディスクメディア部、１０９…操作スイッチ、１１０…充電部、１１１…バッテリ、１１２…外部電源入力部、１１３…液晶ディスプレイ、１１４…外部出力インターフェース、１１５…管理情報生成部
【図１】
2009009642.tif 000003
【図２】
2009009642.tif 000004
【図３】
2009009642.tif 000005
【図４】
2009009642.tif 000006
【図５】
2009009642.tif 000007
【図６】
2009009642.tif 000008